(57)【要約】【課題】  この発明は、振動体ケース内軸受けを介して偏心錘を軸支させた振動体において、偏心錘の回転によってオイルを効率よく軸受け方向へ移動させ、軸受け部へのオイルの供給効率を可及的に向上することを課題とするものである。【解決手段】  振動体ケース１の軸受け２に偏心錘３を軸支した振動体において、前記偏心錘３の低ウエイト側表面をオイル受け面５とし、前記オイル受け面５の軸方向両側にはオイル受け面のオイルを軸受け方向へ案内する案内手段７を設ける。この案内手段７は、前記偏心錘の軸方向中央部から軸受け側に向けて回転時の遠心力が次第に大きくなるように構成し、案内手段の両端部には前記軸受けに対向したオイル流出部９を設ける。係る構成により、オイル受け面のオイルは回転による遠心力を受けて案内手段に沿って軸受け方向へ移動し、オイル流出部から軸受け側へ流出する。  【選択図】  図１
2006336692.tif 000002
【特許請求の範囲】
【請求項１】
振動体ケースの軸受けに偏心錘が軸止され、
前記偏心錘は、その低ウエイト側表面がオイル受け面とされ、
前記オイル受け面の軸方向両側にはオイル受け面のオイルを軸受け方向へ案内する案内手段が設けられ、
前記案内手段は、前記偏心錘の軸方向中央部から軸受側に向けて回転時の遠心力が次第に大きくなるように構成され、
前記案内手段の両端部には前記軸受けに対向したオイル流出部が設けられ、
前記偏心錘の回転によって発生する遠心力により、前記オイル受け面のオイルが前記案内手段側へ流れ、次いで前記案内手段に案内されてその端部から軸受け側に流出するようにした、
振動体のオイル潤滑装置
【請求項２】
案内手段は案内壁とし、対向するオイル受け面両側の案内壁の間隔は、偏心錘の軸方向中央部で最小とし、軸受側に向けて次第に大きくした、請求項１記載の振動体のオイル潤滑装置
【請求項３】
案内手段は溝とし、対向するオイル受け面両側の溝の間隔は、偏心錘の軸方向中央部で最小とし、軸受け側に向けて次第に大きくした、請求項１記載の振動体のオイル潤滑装置
【請求項４】
振動体ケースの内壁には凸部を設け、この凸部から振動体ケースの内壁天井に付着したオイルが偏心錘に落下するようにした、請求項１ないし３のいずれかに記載の振動体のオイル潤滑機構
【発明の詳細な説明】
【技術分野】
【０００１】
この発明は、路面振動締固め機などの振動発生手段として用いられる振動体において、振動体の内部に貯留された潤滑オイルの潤滑装置に関するものである。
【背景技術】
【０００２】
従来の振動体のオイル潤滑機構は、振動体ケース内に貯留されたオイルが、偏心錘の回転によって振動体ケース内に拡散されることで、偏心錘回転軸の軸受け部にオイルが付着し、偏心錘回転軸を潤滑している。かかるオイル潤滑機構は、偏心錘の回転による振動、撹拌、回転風圧によってオイルが拡散されるものであるが、そのオイルの拡散は振動体ケース内において無秩序に拡散され方向性がないため、軸受け部に効果的にオイルを供給することができない。
【０００３】
オイルの拡散方向に一定の方向性を持たせたものとして次の先行技術がある。
【０００４】
【特許文献１】特許第３４４７９９３号公報
【０００５】
この特許文献の発明は、偏心錘回転軸を軸支するベアリングの外側（偏心錘が存在しない側）からもベアリングにオイルを供給するために、偏心錘回転軸の端部に中空状にしたオイル供給路を設け、そのオイル供給路の偏心錘側の内径を回転軸外側端部の内径よりも小さいテーパー形に形成したして構成したものである。
【０００６】
この発明によれば、回転軸の回転によって生じる遠心力を利用して、オイル供給路に付着したオイルを外側へ流れるように方向性を持たせることができるとされているが、偏心錘に付着したオイルについては方向性を持たせることができないのでテーパー状としたオイル供給路にオイルを効果的に流入させることができず、その結果軸受け部にオイルを効率よく供給することは期待できない。
【０００７】
すなわち、この発明の偏心錘上面のオイル受け部の回転軸に沿った両側には一対の平行な補強壁が設けられているが、偏心錘回転時に生じる遠心力によってオイル受け部に付着したオイルはオイル受け部底部に押しやられながら補強壁側に向かって移動するものの、補強壁部分における遠心力は全長に亘り同一であるから遠心力によってオイルの流れを積極的にオイル受け部方向に向けることはできないのである。
【発明の開示】
【発明が解決しようとする課題】
【０００８】
この発明は、振動体ケース内に軸受けを介して偏心錘を軸支させた振動体において、偏心錘の回転によってオイルを効率よく軸受け方向へ移動させ、軸受け部へのオイルの供給効率を可及的に向上することを課題とするものである。
【課題を解決するための手段】
【０００９】
振動体ケースの軸受けに偏心錘を軸支した振動体において、前記偏心錘の低ウエイト側表面をオイル受け面とし、前記オイル受け面の軸方向両側にはオイル受け面のオイルを軸受け方向へ案内する案内手段を設ける。この案内手段は、前記偏心錘の軸方向中央部から軸受け側に向けて回転時の遠心力が次第に大きくなるように構成し、案内手段の両端部には前記軸受けに対向したオイル流出部を設ける。
【００１０】
前記オイル受け面は、その表面で振動ケース内に拡散しているオイルを受ける機能、偏心錘の回転時に作用する遠心力によって表面のオイルを両側へ移動させる機能を奏するものであればよい。
前者の機能を最大限に得るためには、オイル受け面の形状を偏心錘の軸心を通る断面形状と一致させることが好ましく、後者の機能を最大限に得るためには、偏心軸の軸心部分における回転時の遠心力を大きくするために、オイル受け面は軸心を通る面とすることが好ましく、回転中にオイルがオイル受け面に押しつけられる作用を得るためにはオイル受け面を軸心よりも低い位置とすることが好ましい。
【００１１】
前記案内手段は、案内壁又は案内溝が考えられる。何れの場合もオイル受け面における軸方向中央部における遠心力よりも軸受け側の遠心力が大きくなるように構成する。
すなわち、案内手段を案内壁とした場合は、オイル受け面両側の対向する案内壁の間隔を、偏心錘の軸方向中央部で最小とし、軸受け側に向けて次第に間隔を大きくする（請求項２）。
案内手段を案内溝とした場合は、オイル受け面両側の対向する案内溝の間隔を、偏心錘の軸方向中央部で最小とし、軸受け側に向けて次第に間隔を大きくする（請求項３）。また、溝の間隔は変えずに溝の深さを、偏心錘の軸方向中央部で最小とし、軸受け側に向けて次第に大きくする（軸心から溝底までの距離を中央部で最小とし次第に大きくする）手法もある。
【００１２】
案内手段としての案内壁又は案内溝の構成を請求項２，３のようにすると、案内手段は平面視において中央部が狭窄された構成となる。オイル受け面の形状を方形としつつ上記ような構成とした案内手段を設けると、案内手段の外側にもオイル受け面が存在し、この部分に付着したオイルは軸受け側の流出部に至ることができず効率が悪い。
そこで、オイル受け面の形状は案内手段の形状に合わせて中央部を狭窄させた形状とすることが好ましい。
また、上記の形状とすると、偏心錘の外面に付着したオイルも偏心錘の外面を軸受け側に流れる作用を得ることができる。
【００１３】
請求項４の発明は、振動体ケースの内壁に凸部を形成し、この凸部からケース内壁に付着したオイルがオイル受け面に落下するようにしたものである。前記凸部は偏心錘回転時に偏心錘と接触しない大きさとし、振動体の設置時に上側に位置する部分（天井部）に設ければ足りる。その形状は、凸条を１本又は複数本設けたり、突起を複数設けたり、両者の組合せとしたりする。また凸部は振動体ケースの内壁天井部全般に亘って凸条を形成するのが好ましいが、一部にのみ設けてもよい。
【発明の効果】
【００１４】
この発明によれば、オイル受け面に滞留するオイルは偏心錘の回転によってオイル受け面に生じる遠心力によって案内手段方向に押しやられる。そして案内手段は中央部から両側に向けて次第に遠心力が大きくなるようにしてあるので、案内手段に到達したオイルは、案内手段に沿って偏心錘回転軸方向に向かって移動する。そして、案内手段端部にまで到達したオイルは、軸受けに対向した流出部から流出し、軸受けに供給される。
したがって、オイルの流動方向に方向性を与えて軸受け部へのオイルの供給効率を可及的に向上することができる。
【００１５】
請求項４の発明によれば、振動体ケースの内壁天井部には凸部を設けてあるから、偏心錘の回転によって拡散されて振動体ケース内壁面に付着したオイルがこの凸部に集中しやすくなり、オイルの滴下を促進し、オイルの回収効率が向上する。滴下したオイルは偏心錘のオイル受け面ないし偏心錘外周に付着し、偏心錘の回転で生じる遠心力によって再びベアリングに供給されることとなり、振動体ケース内におけるオイルの循環を促進する。
【発明を実施するための最良の形態】
【００１６】
図１において、振動体ケース１の内部にはベアリング２を介して偏心錘３の回転軸４が回転自在に軸支されている。前記偏心錘３は回転により振動が発生するように、一側を大ウエイト部３ａ、他側を低ウエイト部としてある。
【００１７】
偏心錘３の低ウエイト部の表面はオイル受け面５としてある。このオイル受け面５は、その上面が偏心錘３の回転軸心６より僅かに低い位置とし、その表面は平滑面としてあり、その軸心６と直交する面における断面形状は緩やかな凹弧をなしている。
前記オイル受け面５の回転軸を挟む両側にそれぞれ案内壁７が設けてある。これら両案内壁７は、対向間隔が偏心錘３の軸方向中央部で最小とし、軸受け側に向けて次第に大きくなるように緩い曲線を描いている。この案内壁は偏心錘外周が偏心錘上面より突出して、すなわち錘材から前記オイル受け面５を抉り取った残部により形成されている。
前記偏心錘３の大ウエイト部３ａの外径は、前記案内壁７の軸心６を通る面における断面を外径とする円であって、全体として中央部が狭窄された鼓状をなしている。  前記オイル受け面５の両端部はオイル受け面から突出した軸ハウジング８よりも幅広としてあり、オイル受け面５の縁に位置する案内壁７の端部と軸ハウジング８との間にはオイル流出部９が形成されている。そしてこのオイル流出部９はベアリング２に対向している。
【００１８】
振動体ケース１の内壁面天井部には、軸心６方向の凸条１０が形成してある。
【００１９】
以下この発明のオイル潤滑機構における作動について説明する。
図３において、振動体ケース１内の底部にはオイル１１が貯留されている。偏心錘３を回転させると、偏心錘３の回転によって生じる振動ケースの振動、偏心錘３による撹拌、回転風圧などによって貯留されたオイル１１が振動ケース１内で次第に拡散される。
図１において、拡散されたオイル１１は回転中の偏心錘３のオイル受け面５及び外周に付着する。オイル受け面５に付着したオイル１１は矢示したように遠心力によって両側の案内壁７方向に押しやられ、案内壁７に到達する。案内壁７は軸方向中央部が窪み、軸受け側にかけて次第に対向する案内壁との間隔が広くなるように形成されているから、偏心錘３の回転時における案内壁の回転径は中央部から両端部に向けて次第に大きくなり、これに伴って遠心力も両端部の方が大きくなる。したがって、案内壁７まで達したオイルは案内壁７に沿って遠心力の大きい方へと流れる。そして、案内壁７の端部に達すると流出部９からベアリング２に向かって吐出される。
【産業上の利用可能性】
【００２０】
この発明は、路面振動締固め機などの振動発生手段として用いられる振動体におけるオイル潤滑装置に関するものであって、そのオイル潤滑効率を向上させるものであり、産業上の利用可能性を有するものである。
【図面の簡単な説明】
【００２１】
【図１】この発明の実施形態の横断面図
【図２】同じく偏心錘の斜視図
【図３】同じく実施形態の縦断面図
【図４】同じく偏心錘回転時におけるオイルの流れを示す縦断面図
【符号の説明】
【００２２】
１  振動体ケース  
２  ベアリング    
３  偏心錘
３ａ  大ウエイト部
４  回転軸
５  オイル受け面
６  回転軸心
７  案内壁
８  軸ハウジング
９  流出部
１０  凸条
１１  オイル
【図１】
2006336692.tif 000003
【図２】
2006336692.tif 000004
【図３】
2006336692.tif 000005
【図４】
2006336692.tif 000006
【手続補正書】
【提出日】平成17年6月1日(2005.6.1)
【手続補正１】
【補正対象書類名】明細書
【補正対象項目名】０００１
【補正方法】変更
【補正の内容】
【０００１】
この発明は、路面振動締固め機、振動モーターなど振動機械の振動発生手段として用いられる振動体において、振動体の内部に貯留された潤滑オイルの潤滑装置に関するものである。
【手続補正２】
【補正対象書類名】明細書
【補正対象項目名】００２０
【補正方法】変更
【補正の内容】
【００２０】
この発明は、路面振動締固め機、振動モーターなど振動機械の振動発生手段として用いられる振動体におけるオイル潤滑装置に関するものであって、そのオイル潤滑効率を向上させるものであり、産業上の利用可能性を有するものである。